(57)【要約】【課題】  ＮＯｘ分解に要するエネルギー消費量が小さく、効率よくＮＯｘを分解処理することができるガス再生式吸蔵放電ＮＯｘ処理方法及び装置とする。【解決手段】  外部からのＮＯｘ汚染ガスを導入しＮＯｘを吸着するとともにＮＯｘ吸着後の清浄ガスを排出するＮＯｘ吸着剤充填容器１１と、前記ＮＯｘを吸着したＮＯｘ吸着剤充填容器１１から離脱したＮＯｘを含むガスを導入し、ガス成分中の酸素を除去する酸素除去剤充填容器１２と、前記酸素除去剤充填容器１１からの窒素ガスに対して放電し、ＮＯを主成分としたＮＯｘガスを生成して、前記ＮＯｘ吸着剤充填容器に供給する放電容器１３とを備える。また、ＮＯｘ吸着剤充填容器１１からの脱着後のガスから酸素を除去する際に酸化された金属を、水電解装置１７により得られる水素により還元し、再生することができるようにしている。【選択図】図２
2005169221.tif 000002
【特許請求の範囲】
【請求項１】
ＮＯｘ吸着剤にＮＯｘ汚染ガスを流通させ、ＮＯｘを吸着させた後、流通ガスを窒素ガスとして吸着剤を加熱もしくは減圧することによりＮＯｘを脱着させ、ＮＯｘ脱着後のガスから金属酸化作用を利用して酸素を取り除いた後、放電処理によりＮＯｘの分解除去を行い、放電処理後のガスを再度ＮＯｘ吸着剤に循環させ、脱着用ガスとして循環使用することを特徴とするガス再生式吸蔵放電ＮＯｘ処理方法。
【請求項２】
前記脱着後のガスから酸素を除去する際に酸化された金属を、水電解により得られる水素により還元し、再生することを特徴とする請求項１記載のガス再生式吸蔵放電ＮＯｘ処理方法。  
【請求項３】
前記脱着時の循環ガスをＮＯを主成分とする混合ガスとし、放電処理では前記脱着ＮＯｘと同程度のＮＯを分解すると共に、ＮＯ２をＮＯに変換することにより、放電処理後のガスをＮＯｘ吸着剤の脱着用ガスとして循環使用することを特徴とする請求項１記載のガス再生式吸蔵放電ＮＯｘ処理方法。
【請求項４】
前記放電処理に伴うガス加熱作用によりガス温度を上昇させ、ガスがＮＯｘ吸着剤へ再循環する際に、この温度上昇を利用してＮＯｘ脱着を促進することを特徴とする請求項１記載のガス再生式吸蔵放電ＮＯｘ処理方法。
【請求項５】
外部からのＮＯｘ汚染ガスを導入しＮＯｘを吸着するとともにＮＯｘ吸着後の清浄ガスを排出するＮＯｘ吸着手段と、
前記ＮＯｘを吸着したＮＯｘ吸着手段から離脱したＮＯｘを含むガスを導入し、ガス成分中の酸素を除去する酸素除去手段と、
前記酸素除去手段からのＮＯｘを含むガスに対して放電し、ＮＯｘを分解除去した後、前記ＮＯｘ吸着手段に供給する放電手段とを備えたことを特徴とするガス再生式吸蔵放電ＮＯｘ処理装置。
【請求項６】
前記ＮＯｘ吸着手段から脱着後のガスから酸素を除去する際に酸化された金属を、水電解装置により得られる水素により還元し、再生することを特徴とする請求項５記載のガス再生式吸蔵放電ＮＯｘ処理装置。  
【請求項７】
前記脱着時の循環ガスをＮＯを主成分とする混合ガスとし、前記放電手段では前記脱着ＮＯｘと同程度のＮＯを分解すると共にＮＯ２をＮＯに変換し、前記放電処理後のガスをＮＯｘ吸着剤の脱着用ガスとして循環使用することを特徴とする請求項５記載のガス再生式吸蔵放電ＮＯｘ処理装置。
【請求項８】
前記放電手段における放電処理に伴うガス加熱作用によりガス温度を上昇させ、該ガスがＮＯｘ吸着剤へ再循環する際に、この温度上昇によりＮＯｘ脱着を促進することを特徴とする請求項５記載のガス再生式吸蔵放電ＮＯｘ処理装置。  
【請求項９】
前記ＮＯｘ吸着手段は、ガス再生式放電ＮＯｘ処理装置設置場所とは別の場所でＮＯｘ汚染ガスを吸着したものであることを特徴とする請求項５記載のガス再生式吸蔵放電ＮＯｘ処理装置。  
【請求項１０】
外部からのＮＯｘ汚染ガスと、前記放電手段からの循環ガスのいずれかを選択して前記ＮＯｘ吸着手段に導入する弁を備えたことを特徴とする請求項５記載のガス再生式吸蔵放電ＮＯｘ処理装置。
【請求項１１】
前記ＮＯｘ吸着手段からのガスと、前記水電解装置からの水素のいずれかを選択して前記酸素除去剤充填手段に導入する弁を備えたことを特徴とする請求項６記載のガス再生式吸蔵放電ＮＯｘ処理装置。    
【発明の詳細な説明】
【技術分野】
【０００１】
本発明は、燃焼排ガスや汚染空気中のＮＯｘを除去する方法及びその方法を実施する装置に関する。
【背景技術】
【０００２】
ＮＯｘ汚染ガスを放電処理する場合、酸素が含まれていると放電によるＮＯｘ分解反応は著しく阻害される。例えば、窒素希釈の３%程度の酸素濃度において、３００ppm程度のＮＯを放電処理する場合には、ＮＯｘの酸化反応のみが進行し、ＮＯｘ分解反応はほとんど進行しない。酸化反応では、直接ＮＯｘを除去することができないため、酸素を除いてＮＯｘ分解（還元）反応を生起することが望ましい。そのための方法として、ＮＯｘを一旦吸着剤に吸着させ、脱着時の流通ガスを窒素ガスとして、放電によりＮＯｘ分解を行うという方法がある（非特許文献１）。吸着剤としては、銅イオン交換ゼオライト（非特許文献２）やMnOx-ZrO2（非特許文献３）、Fe-Mn-Ti（非特許文献４）等がある。
【非特許文献１】(N.Goto, S.Kudo, H.Motoyama & S.Ohyama, Japanese Journal of Applied Physics,41,L64(2002))
【非特許文献２】(J.Despres, M.Koebel, O.Krocher, M.Elseneer & A.Wkaun, Microporous and Mesoporous Matearials,58,175(2003))
【非特許文献３】(K.Eguchi, M.Watabe, S.Ogata & H.Arai, Journal of Catalysis,158,420(1996))
【非特許文献４】(H.Y.Huang & R.T.Yang,LANGMUIR,17,4997(2001))
【発明の開示】
【発明が解決しようとする課題】
【０００３】
上記方法における問題点は、ＮＯｘ１分子の分解に要するエネルギー消費量が大きいことである。主なエネルギー消費源は、窒素ガスの製造エネルギー、放電注入エネルギー、ＮＯｘ脱着時の加熱もしくは減圧エネルギーである。これらのエネルギー消費量を可能な限り低減することが重要な課題である。
【０００４】
したがって本発明は、ＮＯｘ分解に要するエネルギー消費量が小さく、効率よくＮＯｘを分解処理することができるガス再生式吸蔵放電ＮＯｘ処理方法及びその方法を実施する装置を提供することを目的とする。
【課題を解決するための手段】
【０００５】
本発明によるガス再生式吸蔵放電ＮＯｘ処理方法は、上記課題を解決するため、ＮＯｘ吸着剤にＮＯｘ汚染ガスを流通させ、ＮＯｘを吸着させた後、流通ガスを窒素ガスとして吸着剤を加熱もしくは減圧することによりＮＯｘを脱着させ、ＮＯｘ脱着後のガスから金属酸化作用を利用して酸素を取り除いた後、放電処理によりＮＯｘの分解除去を行い、放電処理後のガスを再度ＮＯｘ吸着剤に循環させ、脱着用ガスとして循環使用するようにしたものである。
【０００６】
また、本発明による他のガス再生式吸蔵放電ＮＯｘ処理方法は、前記ガス再生式吸蔵放電ＮＯｘ処理方法において、前記脱着後のガスから酸素を除去する際に酸化された金属を、水電解により得られる水素により還元し、再生するようにしたものである。  
【０００７】
また、本発明による更に他のガス再生式吸蔵放電ＮＯｘ処理方法は、前記ガス再生式吸蔵放電ＮＯｘ処理方法において、前記脱着時の循環ガスをＮＯを主成分とする混合ガスとし、放電処理では前記脱着ＮＯｘと同程度のＮＯを分解すると共に、ＮＯ２をＮＯに変換することにより、放電処理後のガスをＮＯｘ吸着剤の脱着用ガスとして循環使用するようにしたものである。
【０００８】
また、本発明による更に他のガス再生式吸蔵放電ＮＯｘ処理方法は、前記ガス再生式吸蔵放電ＮＯｘ処理方法において、前記放電処理に伴うガス加熱作用によりガス温度を上昇させ、ガスがＮＯｘ吸着剤へ再循環する際に、この温度上昇を利用してＮＯｘ脱着を促進するようにしたものである。
【０００９】
本発明によるガス再生式吸蔵放電ＮＯｘ処理装置は、外部からのＮＯｘ汚染ガスを導入しＮＯｘを吸着するとともにＮＯｘ吸着後の清浄ガスを排出するＮＯｘ吸着手段と、前記ＮＯｘを吸着したＮＯｘ吸着手段から離脱したＮＯｘを含むガスを導入し、ガス成分中の酸素を除去する酸素除去手段と、前記酸素除去手段からのＮＯｘを含むガスに対して放電し、ＮＯｘを分解除去した後、前記ＮＯｘ吸着手段に供給する放電手段とを備えたものである。
【００１０】
本発明による他のガス再生式吸蔵放電ＮＯｘ処理装置は、前記ガス再生式吸蔵放電ＮＯｘ処理装置において、前記ＮＯｘ吸着手段から脱着後のガスから酸素を除去する際に酸化された金属を、水電解装置により得られる水素により還元し、再生するようにしたものである。  
【００１１】
本発明による更に他のガス再生式吸蔵放電ＮＯｘ処理装置は、前記脱着時の循環ガスをＮＯを主成分とする混合ガスとし、前記放電手段では前記脱着ＮＯｘと同程度のＮＯを分解すると共にＮＯ２をＮＯに変換し、前記放電処理後のガスをＮＯｘ吸着剤の脱着用ガスとして循環使用するようにしたものである。
【００１２】
本発明による更に他のガス再生式吸蔵放電ＮＯｘ処理装置は、前記ガス再生式吸蔵放電ＮＯｘ処理装置において、前記放電手段における放電処理に伴うガス加熱作用によりガス温度を上昇させ、該ガスがＮＯｘ吸着剤へ再循環する際に、この温度上昇によりＮＯｘ脱着を促進するようにしたものである。  
【００１３】
本発明による更に他のガス再生式吸蔵放電ＮＯｘ処理装置は、前記ガス再生式吸蔵放電ＮＯｘ処理装置において、前記ＮＯｘ吸着手段は、ガス再生式吸蔵放電ＮＯｘ処理装置設置場所とは別の場所でＮＯｘ汚染ガスを吸着したものである。  
【００１４】
本発明による更に他のガス再生式吸蔵放電ＮＯｘ処理装置は、前記ガス再生式吸蔵放電ＮＯｘ処理装置において、外部からのＮＯｘ汚染ガスと、前記放電手段からの循環ガスのいずれかを選択して前記ＮＯｘ吸着手段に導入する弁を備えたものである。
【００１５】
本発明による更に他のガス再生式吸蔵放電ＮＯｘ処理装置は、前記ガス再生式吸蔵放電ＮＯｘ処理装置において、前記ＮＯｘ吸着手段からのガスと、前記水電解装置からの水素のいずれかを選択して前記酸素除去剤充填手段に導入する弁を備えたものである。
【発明の効果】
【００１６】
上記のような本発明は、後述するような理由によって窒素ガス製造エネルギーを低減することができ、また酸素除去効果、ＮＯｘ高濃度化、ＮＯ主成分化によって放電処理エネルギー効率を向上することができ、更に、脱着エネルギーの削減によって、効率よくＮＯｘの処理を行うことができる。
【発明を実施するための最良の形態】
【００１７】
本発明は、ＮＯｘ分解に要するエネルギーを低減することを目的として、ＮＯｘ吸着剤にＮＯｘ汚染ガスを流通させ、ＮＯｘを吸着させた後、流通ガスをＮ２／ＮＯ混合ガスとして吸着剤を加熱もしくは減圧することによりＮＯｘを脱着させ、ＮＯｘ脱着後のガスから金属酸化作用を利用して酸素を取り除いた後、放電処理によりＮＯ分解とＮＯ２のＮＯへの変換を行い、放電処理後のガスを再度ＮＯｘ吸着剤に循環させ、脱着用ガスとして循環使用することを特徴とするガス再生式吸蔵放電ＮＯｘ処理方法としたものであり、また、外部からのＮＯｘ汚染ガスを導入しＮＯｘを吸着するとともにＮＯｘ吸着後の清浄ガスを排出するＮＯｘ吸着手段と、前記ＮＯｘを吸着したＮＯｘ吸着手段から離脱したＮＯｘを含むガスを導入し、ガス成分中の酸素を除去する酸素除去手段と、前記酸素除去手段からのＮ２／ＮＯ混合ガスに対して放電し、ＮＯ分解とＮＯ２のＮＯへの変換を行い、前記ＮＯｘ吸着手段に供給する放電手段とを備えたことを特徴とするガス再生式吸蔵放電ＮＯｘ処理装置としたものである。
【実施例１】
【００１８】
本発明による実施例を図１に示す。図１に示すガス再生式吸蔵放電ＮＯｘ処理装置１０は、ＮＯｘ吸着剤充填容器１１に対して三方弁１の切り替えによって車両或いは工場等からのＮＯｘ汚染ガスの導入と、放電容器１３からの放電処理ガスの導入のいずれかを選択的に導入することができるようにし、また、三方弁２の切り替えによって排気浄化ガスとして外部に排出し、或いは循環ポンプ１側に連通するように切り替えることができるようにしている。なお、放電容器１３には、当初、Ｎ２／ＮＯ混合ガスが充填されている。
【００１９】
三方弁３は酸素除去剤充填容器１２に対して、循環ポンプ１と循環ポンプ２のいずれかのガスを選択的に導入可能とし、三方弁４は酸素除去剤充填容器１２からのガスを、放電容器１３または凝縮器１４のいずれかに導くように選択的に切り替えるようにしている。
【００２０】
凝縮器１４からのガス及び液体は気液分離器１５を通し、水素成分を水素貯蔵容器１６に貯留するとともに、水素の不足分を気液分離器１５からの水を導入し水素を発生する水電解装置１７からの水素を水素貯蔵容器１６に補給し貯蔵する。水素貯蔵容器１６からの水素は循環ポンプ２によって前記三方弁３の切り替えによって酸素除去剤充填容器１２に供給するようにしている。
【００２１】
上記のような構成からなるガス再生式吸蔵放電ＮＯｘ処理装置１０は、以下のとおりの操作を行う。即ち、
（１）最初図１に示すように、三方弁１をＮＯｘ汚染ガス側に、三方弁２を排気清浄ガス側にセットし、ＮＯｘ汚染ガスをＮＯｘ吸着剤充填容器１１に流通させることにより、ＮＯｘを吸着剤に吸着させ、清浄ガスを排気する。
【００２２】
（２）次いで図２に示すように、三方弁１、４を放電容器１３側に、三方弁２、３を循環ポンプ1側に切り替えてセットし、循環ポンプ１を起動することにより、放電容器１３中に充満しているＮ２／ＮＯ等の混合ガスをＮＯｘ吸着剤充填容器１１に流通させる。以下、このガスを循環ガスとする。同時に、図示していない電源から放電容器１３へ放電エネルギーを供給し、放電を開始する。
【００２３】
（３）循環ガスが鉄や銅等の金属を充填した酸素除去剤充填容器１２を流通する際に、金属の酸化作用を利用して、酸素を除去する。
【００２４】
（４）循環ガスが放電容器１３を流通する際に、放電によりＮＯ分解反応を進行させることによって、ＮＯｘの一部を分解する。同時に、ＮＯ分解時の生成物であるＯ原子がＮＯ２をＮＯに変換し、ＮＯｘの主成分をＮＯとする。また、放電によるエネルギー注入に伴い、処理ガスの温度が上昇する。
【００２５】
（５）温度上昇した処理ガスを再びＮＯｘ吸着剤充填容器１１に流通させ、温度上昇効果によりＮＯｘの脱着を促進する。
【００２６】
上記（３）〜（５）の手順を繰り返し、（１）の過程で吸着剤に吸着されたＮＯｘと同量程度のＮＯｘが放電により分解処理された時点で、放電及び循環ポンプ１を停止する。この段階では、ＮＯｘ吸着剤充填容器１１や酸素除去剤充填容器１２、放電容器１３中にはＮ２／ＮＯ等の混合ガスが残留している。ＮＯｘ吸着剤充填容器１１は、時間の経過と共に温度が低下し、容器中に残存するＮＯｘは、ある程度再吸着される。その後、再び（１）に戻る。
【００２７】
同時に、（１）の処理と併行して、三方弁３、４を切り替え、循環ポンプ２を起動し、水素貯蔵容器１６中の水素を酸素除去剤充填容器１２に流通させ、金属を還元させることにより酸素除去能力を回復させる。同時に、金属還元により減少した水素貯蔵容器１６中の水素ガスを、水電解装置１７で得られる水素ガスにより補給する。また、金属の還元により水蒸気が生成するが、水蒸気は凝縮器１４内で結露させ、気液分離器１５を通して水電解装置１７に供給する。このため、外部からの水分補給の必要はない。
【００２８】
以上の実施例は、全ての装置を一体的に構成したものであるが、車載化を行う場合には、ＮＯｘ吸着剤のみを車載し、その他の装置を固定ステーションに設置し、給油時等にＮＯｘを脱着させ、その後の処理を行う方法が考えられる。あるいは、車載化するＮＯｘ吸着剤を着脱式とする方法も可能である。
【００２９】
これらの方法では、放電や水素製造に系統電力の利用が可能となり、処理コストの低減が可能である上、車重量も低減できる可能性がある。近年、ＮＯｘ吸着剤の吸着性能が向上しFe-Mn-Tiでは、１gの吸着剤で０．８３mmolのＮＯｘが吸着可能と報告されている(H.Y.Huang & R.T.Yang,LANGMUIR,17,4997(2001))。
【００３０】
このような吸着剤を用いれば、1日の走行分あるいは1回給油の走行分に対応するＮＯｘ吸着剤を車載化することは十分に可能と考えられる。例えば排ガス流量を３０００L/min（温度を３００Kに換算した流量）として、１００ppmのＮＯを１０時間吸着すると、総吸着ＮＯは７．３molとなり、必要な吸着剤は約８．８kgと試算される。
【００３１】
上記のような作動を行う本発明によるガス再生式吸蔵放電ＮＯｘ処理装置は、以下のような理由により、窒素ガス製造エネルギーの低減、放電処理エネルギー効率の向上、脱着エネルギーの削減の３点の作用効果を奏することができる。
【００３２】
１．窒素ガス製造エネルギーの低減  
窒素ガスの製造は、PSAや膜分離により行われるが、酸素を0.1％以下に抑える場合の製造エネルギーは、ガス供給の容量にも依存するが、１５００〜２５００J/L程度である。この窒素ガスを利用して、ＮＯｘの放電処理を行う場合、ＮＯｘ分解反応により酸素が生成し、ＮＯｘ分解量の増大と共に酸素濃度が上昇する。酸素濃度が上昇すると、放電によるＮＯｘ分解の効率が大幅に低下する。仮に酸素濃度の許容値を１％とすると、酸素１％の生成に対応するＮＯｘの分解量は、ＮＯではＮ２の２%、ＮＯ２では１％となる。これより、窒素ガスの製造エネルギーをＮＯｘ１分子の分解当たりに換算すると、１９ 〜６４eVとなり、放電注入エネルギーに匹敵するエネルギー消費となる。
【００３３】
本発明では、放電によるＮＯｘ分解で生成した酸素は、鉄や銅等の金属酸化作用により除去し、窒素ガスは繰り返し循環利用する。このため、窒素ガスの充填コストは無視できる程度に小さくなる。
【００３４】
ただし、酸素除去に伴い酸化した金属を処理することが必要である。本発明では、金属の再生を水素による還元反応で行い、水素は水の電気分解により供給する。電気分解による水素の製造エネルギーは、エネルギー効率を６０％程度とすると、水素１分子当たり約４eVである。即ち、ＮＯ1分子当たり４eV、ＮＯ2では８eVのエネルギーが酸素除去剤の再生に必要ということになる。これに金属還元反応の反応効率や、ＮＯｘ分解以外に由来する酸素の除去という要因が加味されるが、前述の窒素ガス製造器を用いる場合の１９〜６４eVよりは、低エネルギーで窒素ガスの再生が可能である。さらに、次項で述べるように、酸素除去により放電処理のエネルギー効率が向上するという長所もある。
【００３５】
２．放電処理エネルギー効率の向上
本発明では、脱着時の流通ガスとして、ＮＯを主成分とするＮ２／ＮＯｘ他混合ガスを用い、これに吸着剤から脱着したＮＯｘが加わる。脱着ガスは、金属酸化作用による酸素除去を行った後、放電処理を行う。放電処理では、放電により生成するＮ原子等の還元種によりＮＯが分解され、ＮＯ分解時に生成するＯ原子がＮＯ２をＮＯに変換する。放電によるＮＯ分解は、吸着剤からのＮＯｘ脱着量と同程度に留め、再度、吸着剤の脱着ガスとして循環させる。以上の過程の内、放電処理のエネルギー効率向上に寄与するのは、酸素除去、ＮＯｘ高濃度化、ＮＯ主成分化の３点である。以下、この３点について述べる。
【００３６】
（１）酸素除去効果
放電によるＮＯｘ分解においては、酸素は最も重要な阻害要因である。酸素によるエネルギー効率低下の影響度は、処理するＮＯｘ濃度により異なるが、酸素濃度は数千ppmm以下、可能であれば１０００ppm以下に保つことが望ましい。本発明では、放電処理の前段階において酸素除去を行うため、放電容器入口における酸素濃度は十分に低い状態に保たれる。放電処理では、ＮＯｘ吸着剤からの脱着量と同程度のＮＯを分解する。吸着剤から脱着するＮＯｘ濃度が３０００ppm程度である場合には、放電容器出口における酸素濃度も３０００ppm程度であり、残存するＮＯ濃度も同程度であることから、放電処理全般において、高いエネルギー効率を維持することが可能である。
【００３７】
また、前述の窒素ガス製造器を用いる方法では、酸素濃度は１％までを許容して製造エネルギーの試算を行っているが、それと比較して、本方式では酸素濃度が低い水準に保持されることになり、エネルギー効率が向上する。
【００３８】
（２）ＮＯｘ高濃度化
放電によりＮＯの分解を行う上で、ＮＯ濃度が３０００ppm程度までは、濃度の上昇に伴うエネルギー効率の向上が見込まれる。本発明では、脱着用ガスとして、ＮＯを主成分とするＮ２／ＮＯｘ他混合ガスを循環させ、これに吸着剤から脱着したＮＯｘが加わる。このため、放電容器入口へは高濃度のＮＯｘガスが流入する。放電処理は、ＮＯｘの脱着分に相当する分量のＮＯを分解するに留めるため、放電容器出口におけるＮＯｘ濃度も、比較的高い状態に保たれる。従って、放電処理全般において、ＮＯｘ濃度は高濃度に保持されることになり、その結果、放電処理のエネルギー効率が向上する。
【００３９】
（３）ＮＯ主成分化
放電によるＮＯｘ分解においては、ＮＯ２に対するよりも、ＮＯの方が放電処理のエネルギー効率が高い。これは、Ｎ原子によるＮＯ２の分解反応の一部に、ＮＯを２分子生成する反応があることが主原因と考えられる。また、放電で生成するＮ原子等の還元種は、ＮＯ２よりもＮＯとの反応を優先的に行う。その結果、ＮＯｘの成分比率に関して、ＮＯの占める割合が50％程度以上であれば、エネルギー効率の低下は軽微である。また、ＮＯの分解反応で生成するＯ原子は、酸素濃度が低い場合には、ＮＯ２をＮＯに変換する。これより、吸着剤からの脱着ＮＯｘの主成分がＮＯ２である場合においても、放電処理では、循環ガス中のＮＯに対する分解反応の方が優先的に進み、それと併行して、ＮＯ分解反応で生成したＯ原子が、脱着したＮＯ２をＮＯに変換する。その結果、放電容器出口におけるＮＯｘ主成分はＮＯとなり、再度、吸着剤の脱着ガスとして循環利用される。このように、本方式における放電処理ではＮＯ分解とＮＯ主成分化が進行するため、脱着ＮＯｘの主成分がＮＯ２である場合にも、高いエネルギー効率を維持できる。
【００４０】
例えば、吸着剤としてMnOx-ZrO2を用いた場合には、脱着ＮＯｘの主成分はＮＯ２である。MnOx-ZrO2は、水蒸気の影響を受けにくく、この点では、銅イオン交換ゼオライトよりも優れている（(財)シッフ゜・アント゛・オーシャン財団,小型内航船用エンジン排ガス浄化触媒の調査研究報告書(1998)）。本方式は、このように、脱着ＮＯｘの主成分がＮＯ２である場合に特に効果的である。
【００４１】
また、ＮＯｘ汚染空気を浄化する場合にも、ＮＯｘの主成分はＮＯ２であることから、本方式のＮＯ主成分化が有効である。さらに、この場合には、吸着剤による高濃度化にも限界があることから、本発明による高濃度化が有効であり、加えて、次項で述べるように、脱着エネルギーの占める割合が大きくなり、その削減も本方式により可能である。
【００４２】
以上、本発明における酸素除去、ＮＯｘ高濃度化、ＮＯ主成分化により、ＮＯｘ１分子の分解処理に必要な放電注入エネルギーは、４０〜６０eV程度に抑えることが可能と考えられる。
【００４３】
３．脱着エネルギーの削減
ＮＯｘ吸着剤からの脱着は、加熱あるいは減圧により行うが、そのためのエネルギー投入が必要である。３００℃の温度上昇を行う場合、吸着剤の加熱以外に、窒素ガスを３００℃温度上昇させるために約３９０J/Lが必要である。減圧の場合、０．３気圧に減圧するためには約１００J/Lの仕事量が必要である。前者は熱エネルギーで、後者は動力エネルギーであるので、両者を必要な電気エネルギーに換算すれば、共に１２０J/L程度である。
【００４４】
脱着するＮＯｘの濃度が３０００ppm程度の場合で、その全量を放電で処理するとすれば、ＮＯｘ１分子の処理に必要な脱着エネルギーは、約１０eV（電気エネルギー換算値）となり、それ程大きくはない。しかし、ＮＯｘ汚染空気のように低濃度のＮＯｘを吸着した場合に、高い脱着濃度を実現することは困難を伴う。仮に脱着濃度が３００ppm程度で、その全量を放電で処理する場合を想定すると、ＮＯｘ1分子の処理に必要な脱着エネルギーは約１００eV（電気エネルギー換算値）となり、放電注入エネルギーを凌ぐ程に大きい。
【００４５】
本発明は、このような脱着エネルギーを削減する効果を有する。本発明では脱着用ガスとしてＮＯｘを含んだガスを流通させるため、まずは当初成分のＮＯｘに対して放電処理を行い、次に、放電の加熱作用により流通ガス温度を上昇させた後、吸着剤に再循環させ、脱着を行うという方法が可能である。放電注入エネルギーの９０％以上は熱化することから、放電注入エネルギーを脱着エネルギーとして活用することは有効な方法である。
【００４６】
例えば、放電処理により２２００ppmのＮＯｘを分解する場合で、ＮＯｘ１分子の分解に必要な放電注入エネルギーを５０eVとすると、処理ガス１Ｌ(３００K)当たりの放電注入エネルギーは、約４３０Jとなる。放電注入エネルギーの内、熱化する割合を９０％とすると、約３００℃の温度上昇が見込まれる。さらに、ガスの周回により温度上昇分が重畳される可能性もあるが、熱損失による温度降下の影響もある。概算として、この場合には、脱着エネルギーの全量を放電加熱により供給することが可能と考えられる。
【００４７】
一方、低濃度のＮＯｘ汚染空気を処理する場合で、脱着ＮＯｘ濃度として３００ppm程度を想定すると、３００ppmのＮＯｘ分解では、放電加熱による温度上昇は４０℃程度に留まり、脱着エネルギーの全量を賄うには不十分である。この場合、他の加熱あるいは減圧手段を併用することになるが、脱着エネルギーの低減が可能である。このように脱着濃度が低い場合には、前述のように、脱着エネルギーが放電注入エネルギーを凌ぐ程の大きなエネルギー消費源となるため、脱着エネルギーの削減が部分的であっても、エネルギー消費全体に対する削減効果は大きい。
【００４８】
他の方法として、ＮＯｘ吸着剤充填容器内で放電処理を行うことにより脱着エネルギーを放電入力で賄う方法も当然考えられるが、この方法では、放電による吸着剤の劣化が懸念される。このため、放電場と吸着剤は分離が望ましい。さらに、汚染ガスの連続処理を行う上では、ＮＯｘ吸着剤充填容器を２ヶ並列にして、交互に使用することになるが、本発明のように、放電容器が分離されていれば、ガスの連続処理を行う際にも、放電容器は１つで連続処理が可能である。  
【産業上の利用可能性】
【００４９】
本発明は、ＮＯｘ汚染ガス排出源或いはその周辺地点に設置し、排ガス処理装置あるいは空気浄化装置として使用するほか、車両等の移動機器にＮＯｘ吸着剤充填容器を備え、固定施設に設置したガス再生式放電ＮＯｘ処理装置にこの容器を接続し、内部のＮＯｘを処理する形態でも使用することができる。。
【図面の簡単な説明】
【００５０】
【図１】本発明の実施例の第１の作動態様を示す説明図である。
【図２】同実施例の第２の作動態様を示す説明図である。
【図３】同実施例の第３の作動態様を示す説明図である。
【符号の説明】
【００５１】
１０  ガス再生式吸蔵放電ＮＯｘ処理装置
１１  ＮＯｘ吸着剤充填容器
１２  酸素除去剤充填容器
１３  放電容器
１４  凝縮器
１５  気液分離器
１６  水素貯蔵容器
１７  水電解装置
１８  循環ポンプ
【図１】
2005169221.tif 000003
【図２】
2005169221.tif 000004
【図３】
2005169221.tif 000005